(57)【要約】      （修正有）【課題】浴室および他室（脱衣室等）の二室同時暖房できる浴室暖房装置として、二室同時暖房のときでも所期の暖房能力が得られるように各熱交換器の放熱量を簡易に制御できるものを実現する。【解決手段】本浴室暖房装置は、二室同時暖房のときは、単独暖房のときよりも暖房能力が低下する暖房ユニットにおける循環ファンのファン回転数を高速回転させるように制御する制御部を設ける（Ｓ１１）。  これにより、熱源機を制御することなく、その暖房ユニットの熱交換器での熱交換量を増大させて二室同時暖房に伴う暖房能力の低下を防止できる。従って、二室同時暖房するときでも簡易な制御で浴室，他室の単独暖房のときと同等の暖房効果を二室ともに確保できる。【選択図】  図３
2006258395.tif 000002
【特許請求の範囲】
【請求項１】
浴室内の空気を循環させる浴室側循環ファンおよび該空気を加熱する浴室側熱交換器を備える浴室暖房ユニットと、他室内の空気を循環させる他室側循環ファンおよび該空気を加熱する他室側熱交換器を備える他室暖房ユニットと、上記浴室側熱交換器および上記他室側熱交換器に接続させて温水を供給する熱源機とを備えた浴室暖房装置において、
上記浴室および上記他室の二室同時暖房のときは、上記浴室側循環ファンと上記他室側循環ファンの両方あるいは一方のファン回転数を各室の単独暖房のときよりも高速回転させる制御部を設けたことを特徴とする浴室暖房装置。
【請求項２】
請求項１に記載の浴室暖房装置において、
上記制御部は、上記熱源機に対して上記浴室側熱交換器と上記他室側熱交換器とが並列接続されているものでは、単独暖房のときよりも暖房能力が低下する室側の暖房ユニットにおける循環ファンのファン回転数を高速回転させる制御構成とした浴室暖房装置。
【請求項３】
請求項１に記載の浴室暖房装置において、
上記制御部は、上記熱源機に対して上記浴室側熱交換器と上記他室側熱交換器とが直列接続されているものでは、その下流側の暖房ユニットにおける循環ファンのファン回転数を高速回転させる制御構成とした浴室暖房装置。
【発明の詳細な説明】
【技術分野】
【０００１】
本発明は、浴室と他室の二室同時暖房することができる浴室暖房装置に関するものである。
【背景技術】
【０００２】
この種浴室暖房装置は、例えば、図６に示すように、浴室Ａ等の天井裏に設置され、浴室Ａ内を暖房する浴室用暖房ユニットＹＵと、脱衣室Ｂ内を暖房する脱衣室用暖房ユニットＤＵとを備え、各ユニットＹＵ，ＤＵには、循環ファン６０１，６０５と熱交換器６０４，６１０とが設けられている（特許文献１）。上記各ユニットＹＵ，ＤＵの各熱交換器６０４，６１０は、温水コイルで構成されており、１つの熱源機Ｇの温水循環配管６２０に直列接続されている（図６のものでは、脱衣室用暖房ユニットＤＵの熱交換器６１０が上流で、浴室用暖房ユニットＹＵの熱交換器６０４が下流に配置されている。）。なお、各ユニットの熱交換器が１つの熱源機に並列接続されたものもある（特許文献２）。
そして、上記浴室暖房装置において、暖房運転時は、熱動弁６２１を開弁して熱源機Ｇから一定流量の温水を熱交換器６０４，６１０に供給しつつ循環ファン６０１，６０５を所定回転数に駆動させ、室内の空気をユニットＹＵ，ＤＵ内に吸引してこの吸引された空気を熱交換器６０４，６１０によって加熱して室内に吹き出すことで暖房が行われる。なお、上記浴室暖房装置は、浴室Ａと脱衣室Ｂを各々単独で暖房することができ、これら二室同時に暖房することもできる（特許文献１の段落００２３、段落００３５、段落００４１）。
【特許文献１】特開平１１−３０４３０号公報
【特許文献２】特願２００３−３０００９６号
【発明の開示】
【発明が解決しようとする課題】
【０００３】
上記浴室暖房装置では、熱源機Ｇからの温水は、浴室Ａと脱衣室Ｂを二室同時に暖房する場合でも、各室単独で暖房する場合と同じ流量、同じ温度で各熱交換器６０４，６１０に供給されている。また、各ユニットＹＵ，ＤＵの各循環ファン６０１，６０５においても、浴室Ａと脱衣室Ｂを二室同時に暖房する場合でも、各室単独で暖房する場合と同じ回転数で駆動制御されている。そのため、浴室Ａと脱衣室Ｂの二室同時に暖房する場合、熱源機Ｇに対して各ユニットＹＵ，ＤＵの熱交換器６０４，６１０が直列接続されているため、下流側に接続されている熱交換器６０４には上流側の熱交換器６１０で先に熱交換された低温の温水が流入されることから、この下流側の熱交換器６０４に対応するユニットＹＵでは、十分な暖房能力が発揮できない。
また、熱源機の温水循環配管に各熱交換器が並列接続されているものでは、二室同時暖房する場合、熱源機から供給される一定流量の温水が各熱交換器に分配されるうえ、熱交換器を構成する温水コイルの圧損等によって各熱交換器には熱源機から必要な温水流量がバランスよく流れ難いことがある。そのため、二室同時暖房のときは各室を単独運転するときよりも各熱交換器に流れる温水流量が低下する傾向となり、浴室と脱衣室の両方あるいはいずれか一方で十分な暖房能力が発揮できないことがある。
本発明は、上記事情に鑑みてなされたものであり、二室同時暖房するときでも所期の暖房能力が得られるように各熱交換器の放熱量を簡易に制御できる浴室暖房装置を実現することを課題とする。
【課題を解決するための手段】
【０００４】
（１）請求項１の浴室暖房装置は、浴室内の空気を循環させる浴室側循環ファンおよび該空気を加熱する浴室側熱交換器を備える浴室暖房ユニットと、他室内の空気を循環させる他室側循環ファンおよび該空気を加熱する他室側熱交換器を備える他室暖房ユニットと、上記浴室側熱交換器および上記他室側熱交換器に接続させて温水を供給する熱源機とを備えた浴室暖房装置において、上記浴室および上記他室の二室同時暖房のときは、上記浴室側循環ファンと上記他室側循環ファンの両方あるいは一方のファン回転数を各室の単独暖房のときよりも高速回転させる制御部を設けたことを特徴とするものである。
上記循環ファンを高速回転することで、熱源機に対する制御（例えば、温水流量を増大させるとか、温水温度を一層高温にするとか等）を行わなくてもその熱交換器での熱交換量を増大させて放熱量を増大させることができる。
従って、上記浴室および上記他室の二室同時暖房のときは、各室の単独暖房のときよりも暖房能力が低下し得る暖房ユニットの循環ファンを単独暖房のときよりも高速回転させることで、熱源機を制御することなく、その暖房ユニットの熱交換器での熱交換量を増大させて二室同時暖房に伴う暖房能力の低下を防止することができる。
【０００５】
（２）請求項２の浴室暖房装置は、請求項１に記載の浴室暖房装置において、上記制御部は、上記熱源機に対して上記浴室側熱交換器と上記他室側熱交換器とが並列接続されているものでは、単独暖房のときよりも暖房能力が低下する室側の暖房ユニットにおける循環ファンのファン回転数を高速回転させる制御構成としたものである。
これにより、上記浴室および上記他室の二室同時暖房のときは、各室の単独暖房のときよりも暖房能力が低下する暖房ユニットの循環ファンのファン回転数を高速回転することで、熱源機を制御することなく、その暖房ユニットの熱交換器での熱交換量を増大させて二室同時暖房に伴う暖房能力の低下を防止することができる。
【０００６】
（３）請求項３の浴室暖房装置は、請求項１に記載の浴室暖房装置において、上記制御部は、上記熱源機に対して上記浴室側熱交換器と上記他室側熱交換器とが直列接続されているものでは、その下流側の暖房ユニットにおける循環ファンのファン回転数を高速回転させる制御構成としたものである。
これにより、上記浴室および上記他室の二室同時暖房のときは、各室の単独暖房のときよりも暖房能力が低下する下流側の暖房ユニットの循環ファンのファン回転数を高速回転することで、熱源機を制御することなく、下流側の暖房ユニットの熱交換器での熱交換量を増大させて二室同時暖房に伴う暖房能力の低下を防止することができる。
【発明の効果】
【０００７】
以上のように、本発明による浴室暖房装置によれば、二室同時暖房のときは、熱源機に対する制御を行うことなく各室の単独暖房のときよりも循環ファンのファン回転数を高速回転させるという簡易な制御でその熱交換器の熱交換量を増大させて暖房能力の低下を防止することができる。従って、二室同時暖房するときでも簡易な制御で各室の単独暖房のときと同等の暖房効果を二室ともに確保することができる。
【発明を実施するための最良の形態】
【０００８】
以下に、本発明の実施の形態について図面を参照しながら説明する。
（実施の形態１）
実施の形態１による浴室暖房装置は、浴室ＢＲと脱衣室ＤＲ（他室）の暖房を各室単独でも二室同時でも行えるものであり、後述するように、１つの外部熱源機３に対して浴室側熱交換器１１と脱衣室側熱交換器２３とが並列接続されたものである。
図１に示すように、この浴室暖房装置は、浴室暖房ユニット１とこれに並設された脱衣室暖房ユニット２とを備えており、浴室ＢＲの天井裏に設置されている。この浴室暖房装置は、屋外等に設置したガス給湯器や電気温水器等からなる外部熱源機３から導出された温水循環配管３１が接続されている。この外部熱源機３によって一定流量の高温（約８０℃）の温水が温水循環配管３１に循環供給される。また、この浴室暖房装置は、外壁等から導出されて外界と連通した排気ダクト４、トイレＴＲの天井裏から導出されてトイレＴＲと連通したトイレ用吸気ダクト５、脱衣室ＤＲの天井裏から導出されて脱衣室ＤＲと連通した脱衣室用吸気ダクト６と脱衣室用吹出ダクト７が接続されている。また、この浴室暖房装置には、浴室暖房ユニット１および脱衣室暖房ユニット２の動作制御を行う制御盤８（制御部）が脱衣室暖房ユニット２の外側面に取り付けられている。そして、脱衣室ＤＲの内壁面には、上記制御盤８に対して浴室ＢＲと脱衣室ＤＲとにおける運転操作信号を送信するリモコン８１が取り付けられ、また、トイレＴＲの入口の外装面には、上記制御盤８に対してトイレＴＲにおける運転操作信号を送信するトイレ用スイッチ８２が取り付けられている。
【０００９】
上記浴室暖房ユニット１は、図２に示すように、浴室ＢＲに連通する吸込み口と吹出し口（図示せず）を底部に設けたケーシング１０を有し、このケーシング１０内に浴室側熱交換器１１と浴室側循環ファン１２とが収納されている。なお、吹出し口には、ステッピングモータＭ１により可動されるルーバ１４が設けられており、このルーバ１４によって浴室暖房ユニット１から浴室ＢＲ内に吹出される空気の送風方向が変更可能にされる。
【００１０】
上記浴室側熱交換器１１は、温水コイルからなり、外部熱源機３からの温水循環配管３１が浴室側熱動弁１３を介在させて接続されており、この浴室側熱動弁１３の開弁によって外部熱源機３から約８０℃の温水が循環供給される。また、上記浴室側循環ファン１２は、その作動によって上記ケーシング１０内部に浴室ＢＲ内の空気を吸い込んで浴室側熱交換器１１を通過させて吸込み口側から吹出し口側に流通させる浴室循環通路Ｌ１を形成する。
【００１１】
そして、この浴室側循環ファン１２は、上記制御盤８によってそのファン回転数が制御され、浴室ＢＲおよび脱衣室ＤＲの二室同時暖房が行われたときは、浴室ＢＲの単独暖房のときよりも高速回転するように制御される。これにより、浴室側熱交換器１１での熱交換量を増大させて二室同時暖房に伴う暖房能力の低下が防止される。なお、二室同時暖房時において浴室ＢＲの単独暖房時よりも浴室側循環ファン１２のファン回転数をどの程度高速回転させるかは、上記外部熱源機３や上記浴室側熱交換器１１等の性能、浴室ＢＲの容積等を考慮して、浴室ＢＲの単独暖房時と同等の暖房性能を確保できるファン回転数を実験的に見出して定めることができる。
【００１２】
上記脱衣室暖房ユニット２は、図２に示すように、浴室暖房ユニット１のケーシング１０に並設されるケーシング２０を有し、このケーシング２０内部は、仕切壁２２を設けて脱衣室連通空間Ａ１と換気ファン収納空間Ａ２とに区画されている。なお、仕切壁２２の一部に開口部２７が設けられており、脱衣室連通空間Ａ１と換気ファン収納空間Ａ２とは連通されている。
【００１３】
脱衣室連通空間Ａ１には、脱衣室側熱交換器２３と脱衣室側循環ファン２４とが収納されており、そのケーシング２０の側面には、脱衣室用吸気ダクト６を接続する脱衣室吸気用接続口６０と脱衣室用吹出ダクト７を接続する脱衣室吹出用接続口７０とが形成されている。
脱衣室側熱交換器２３は、温水コイルからなり、外部熱源機３からの温水循環配管３１が脱衣室側熱動弁２５を介在させて接続されており、この脱衣室側熱動弁２５の開弁によって外部熱源機３から約８０℃の温水が循環供給される。この脱衣室側熱交換器２３と上記浴室側熱交換器１１とは、上記外部熱源機３の温水循環配管３１に並列接続されている。また、脱衣室側循環ファン２４は、その作動によって脱衣室連通空間Ａ１に脱衣室ＤＲの空気を吸い込んで脱衣室側熱交換器２３を通過させて脱衣室用吸気ダクト６側から脱衣室用吹出ダクト７側に流通させる脱衣室循環通路Ｌ２を形成する。
【００１４】
そして、この脱衣室側循環ファン２４は、上記制御盤８によってそのファン回転数が制御され、浴室ＢＲおよび脱衣室ＤＲの二室同時暖房が行われたときは、脱衣室ＤＲの単独暖房のときよりも高速回転するように制御される。これにより、脱衣室側熱交換器２３での熱交換量を増大させて二室同時暖房に伴う暖房能力の低下が防止される。なお、二室同時暖房時において脱衣室ＤＲの単独暖房時よりも脱衣室側循環ファン２４のファン回転数をどの程度高速回転させるかは、上記外部熱源機３や上記脱衣室側熱交換器２３等の性能、脱衣室ＤＲの容積等を考慮して、脱衣室ＤＲの単独暖房時と同等の暖房性能を確保できるファン回転数を実験的に見出して定めることができる。
【００１５】
また、換気ファン収納空間Ａ２には換気ファン２１が収納されており、そのケーシング２０の側面にはトイレ用吸気ダクト５を接続するトイレ用接続口５０と排気ダクト４を接続する排気用接続口４０とが形成されている。そして、上記ケーシング２０は、連通口１５によって上記浴室暖房ユニット１のケーシング１０と接続され、換気ファン収納空間Ａ２が浴室暖房ユニット１を介して浴室ＢＲと連通されている。この連通口１５にはステッピングモータＭ２の駆動によって開閉制御されるダンパ１６が設けられ、浴室ＢＲ、脱衣室ＤＲの暖房時には連通口１５が閉じられ、上記換気ファン２１を駆動させる換気運転時には連通口１５が開かれる。従って、換気ファン２１の作動によって換気ファン収納空間Ａ２にはトイレＴＲ、浴室ＢＲおよび脱衣室ＤＲの空気が吸い込まれて排気ダクト４から外界へ排気され、各室ＴＲ，ＢＲ，ＤＲの換気が一斉に行われる。
【００１６】
本実施の形態１による浴室暖房装置は、浴室ＢＲと脱衣室ＤＲの暖房を各室単独で行うことができ、これら二室同時に暖房を行うこともできる。そして、本実施の形態１の浴室暖房装置は、浴室ＢＲと脱衣室ＤＲの暖房を二室同時に運転するときには、各室ＢＲ，ＤＲの単独暖房運転のときに比して浴室ＢＲと脱衣室ＤＲの暖房効果の低下分を、各循環ファン１２，２４のファン回転数を上げる（高速回転にする）ことによる循環風量の増大によって補償するものである。リモコン８１からの暖房運転操作自体は従来と同様である。
【００１７】
以下に、浴室ＢＲと脱衣室ＤＲの二室同時暖房の動作フローを説明する。図３は、浴室ＢＲと脱衣室ＤＲの二室同時暖房の動作フローを示すフローチャートである。
まず、リモコン８１で浴室暖房運転が選択されると（Ｓ１）、制御盤８からの指令によって、浴室暖房時間のタイマー時間と浴室暖房温度が設定されてタイマー運転が開始される（Ｓ２，Ｓ３）。また同時に、リモコン８１の浴室暖房ランプが点灯され、浴室側熱動弁１３が開弁されると共に外部熱源機３に作動信号が出力され（Ｓ４）、引き続き、浴室側循環ファン１２が始動される（Ｓ５）。
【００１８】
すると、浴室側熱動弁１３の開弁によって浴室側熱交換器１１に外部熱源機３から温水が循環供給され、上記浴室側循環ファン１２の作動によって浴室ＢＲ内の空気が吸込み口からケーシング１０内部に吸い込まれ、そして、この空気が浴室側熱交換器１１にて熱交換されて温風となって吹出し口から浴室ＢＲに吹き出されて浴室暖房が行われる。
【００１９】
そして、さらにリモコン８１で脱衣室暖房運転が選択されると（Ｓ６）、制御盤８からの指令によって、脱衣室暖房時間のタイマー時間と脱衣室暖房温度が設定されてタイマー運転が開始される（Ｓ７，Ｓ８）。また同時に、リモコン８１の脱衣室暖房ランプが点灯され、脱衣室側熱動弁２５が開弁されると共に外部熱源機３に作動信号が出力され（Ｓ９）、引き続き、脱衣室側循環ファン２４が始動される（Ｓ１０）。
【００２０】
すると、脱衣室側熱動弁２５の開弁によって脱衣室側熱交換器２３に外部熱源機３から温水が循環供給され、上記脱衣室側循環ファン２４の作動によって脱衣室ＤＲ内の空気が脱衣室用吸気ダクト６を通じてケーシング２０の脱衣室連通空間Ａ１内に吸い込まれ、そして、この空気が脱衣室側熱交換器２３にて熱交換されて温風となって脱衣室用吹出ダクト７を通じて脱衣室ＤＲに吹き出されて脱衣室暖房が行われる。
【００２１】
このとき、浴室ＢＲと脱衣室ＤＲの二室同時暖房運転状態になるので、制御盤８からの指令によって浴室側循環ファン１２および脱衣室側循環ファン２４のファン回転数が各室ＢＲ，ＤＲの単独暖房のときよりも高速回転となるように駆動制御される（Ｓ１１）。このように、各循環ファン１２，２４をともに高速回転することで、外部熱源機３に対する制御（例えば、温水流量を増加させるとか、温水温度をさらに高温にするとか等）を行わなくても熱交換器１１，２３での熱交換量を増大させてその放熱量を増大させることができる。その結果、浴室ＢＲ、脱衣室ＤＲの二室同時暖房のときに、各室ＢＲ，ＤＲの単独暖房のときよりも暖房能力が低下する分を、外部熱源機３の能力を上げる制御を行うことなく循環ファン１２，２４のファン回転数を高速回転することで熱交換器１１，２３での熱交換量を増大させて補償し、各暖房ユニット１，２の暖房能力の低下を防止することができる。
【００２２】
その後、浴室暖房運転のタイマー時間が終了すると（Ｓ１２）、リモコン８１の浴室暖房ランプが消灯され、浴室側熱動弁１３が閉弁され、浴室暖房ユニット１側からの外部熱源機３への作動信号が停止され（Ｓ１３）、また、浴室側循環ファン１２が駆動停止され（Ｓ１４）、浴室暖房が終了する。
また、脱衣室暖房運転のタイマー時間が終了すると（Ｓ１５）、リモコン８１の脱衣室暖房ランプが消灯され、脱衣室側熱動弁２５が閉弁され、脱衣室暖房ユニット２側からの外部熱源機３への作動信号が停止され（Ｓ１６）、また、脱衣室側循環ファン２４が駆動停止され（Ｓ１７）、脱衣室暖房が終了する。
以上のように、上記実施の形態１による浴室暖房装置によれば、二室同時暖房のときは、外部熱源機３に対する制御を行うことなく各室ＢＲ，ＤＲの単独暖房のときよりも循環ファン１２，２４のファン回転数を高速回転させるという簡易な制御でその熱交換器１１，２３の熱交換量を増大させて二室同時暖房に伴う暖房能力の低下を防止することができる。従って、二室同時暖房するときでも簡易な制御で各室ＢＲ，ＤＲの単独暖房のときと同等の暖房効果を二室（ＢＲ，ＤＲ）ともに確保することができる。
【００２３】
なお、図３の上記動作フローでは、浴室暖房運転を開始した後に脱衣室暖房運転を開始した場合を示すが（図３のＳ１、Ｓ６参照）、浴室暖房運転と脱衣室暖房運転の開始順序は問わず（脱衣室暖房運転を開始した後に浴室暖房運転を開始した場合や、浴室暖房運転と脱衣室暖房運転とがほとんど同時に開始された場合等）、二室同時暖房運転状態になったときに浴室側循環ファン１２および脱衣室側循環ファン２４のファン回転数を単独暖房運転のときよりも高速回転するように制御すればよい。
また、上記実施の形態１のものでは、二室同時暖房運転のときに浴室側循環ファン１２と脱衣室側循環ファン２４もともに高速運転するが、単独暖房運転のときよりも暖房能力が低下する室側の循環ファンのファン回転数を高速回転させる制御構成としてもよい。
【００２４】
（実施の形態２）
上記実施の形態１では、１つの外部熱源機３に対して各熱交換器１１，２３が並列接続されたものであるが、この実施の形態２による浴室暖房装置は、１つの外部熱源機３に対して各熱交換器１１，２３が直列接続されたものである。
図４に示すように、この浴室暖房装置は、外部熱源機３からの温水循環配管３１’に対して、上流側に浴室暖房ユニット１の浴室側熱交換器１１が接続され、その下流側に脱衣室暖房ユニット２の脱衣室側熱交換器２３が接続される。また、浴室側熱交換器１１と脱衣室側熱交換器２３との間の温水循環配管３１’には熱動弁２５’が設けられている。従って、この浴室暖房装置では、外部熱源機３からの温水は、浴室側熱交換器１１に供給された後、脱衣室側熱交換器２３に供給されるため、二室同時暖房が行われると、下流側の脱衣室側熱交換器２３には上流側の浴室側熱交換器１１で熱交換された低温の温水が流入されることから、下流側の脱衣室暖房ユニット２では、十分な暖房能力が発揮できない。
【００２５】
そこで、図５に示すように、浴室ＢＲと脱衣室ＤＲの二室同時暖房の動作フローにおいては、浴室ＢＲと脱衣室ＤＲの二室同時暖房運転状態になると（Ｓ１０）、制御盤８からの指令によって下流側の脱衣室側循環ファン２４のファン回転数を単独暖房のときよりも高速回転となるように駆動制御される（Ｓ１１’）。
このように、脱衣室側循環ファン２４を高速回転することで、外部熱源機３に対する制御（例えば、温水流量を増大させるとか、温水温度を一層高温にするとか等）を行わなくても脱衣室側熱交換器２３での熱交換量が増大しその放熱量が増大される。その結果、浴室ＢＲと脱衣室ＤＲの二室同時暖房のときに、脱衣室暖房ユニット２側において単独暖房のときよりも暖房能力が低下する分を、外部熱源機３の能力を上げる制御を行うことなく脱衣室側循環ファン２４のファン回転数を高速回転することで脱衣室側熱交換器２３での熱交換量を増大させて補償し、脱衣室暖房ユニット２における暖房能力の低下を防止することができる。
【００２６】
なお、図５に示すように、この実施の形態２の浴室暖房装置における動作フローとして、浴室暖房と脱衣室暖房のいずれかを問わず先に暖房運転が開始されたときにだけ熱動弁２５’を開弁させて外部熱源機３へ作動信号を出力し、浴室暖房と脱衣室暖房のいずれもが運転終了されたときにだけ熱動弁２５’を閉弁させて外部熱源機３への作動信号を停止させるようにする（図５のＳ４’、Ｓ９’、Ｓ１３’、Ｓ１６’）。その他の構成および動作は、上記実施の形態１のものと同様である。
【００２７】
以上のように、上記実施の形態２による浴室暖房装置によれば、二室同時暖房のときは、暖房能力が低下する下流側の脱衣室暖房ユニット２において、外部熱源機３に対する制御を行うことなく脱衣室側循環ファン２４のファン回転数を脱衣室ＤＲの単独暖房のときよりも高速回転させるという簡易な制御で脱衣室側熱交換器２３の熱交換量を増大させて脱衣室暖房ユニット２における暖房能力の低下を防止することができる。従って、二室同時暖房するときでも簡易な制御で各室の単独暖房のときと同等の暖房効果を二室（ＢＲ，ＤＲ）ともに確保することができる。
【００２８】
なお、図５の上記動作フローでは、浴室暖房運転を開始した後に脱衣室暖房運転を開始した場合を示すが（図５のＳ１、Ｓ６参照）、浴室暖房運転と脱衣室暖房運転の開始順序は問わず（脱衣室暖房運転を開始した後に浴室暖房運転を開始した場合や、浴室暖房運転と脱衣室暖房運転とがほとんど同時に開始された場合等）、二室同時暖房運転状態になったときに下流側の脱衣室側循環ファン２４のファン回転数を脱衣室ＤＲの単独暖房運転のときよりも高速回転するように制御すればよい。
【００２９】
また、実施の形態２のものは、外部熱源機３に対して脱衣室暖房ユニット２が下流側に接続されるので、二室同時暖房のときには下流側の脱衣室側循環ファン２４のファン回転数を高速回転するが、図６の従来例のように浴室側の暖房ユニットが下流側となる場合は、この下流側の浴室側循環ファン１２のファン回転数を高速回転することとなる。
【図面の簡単な説明】
【００３０】
【図１】実施の形態１による浴室暖房装置の設置状態を示す斜視図である。
【図２】実施の形態１による浴室暖房装置の各暖房ユニットの内部構成を示す模式図である。
【図３】実施の形態１による浴室暖房装置において二室同時暖房時の動作フローを示すフローチャートである。
【図４】実施の形態２による浴室暖房装置の各暖房ユニットの内部構成を示す模式図である。
【図５】実施の形態２による浴室暖房装置において二室同時暖房時の動作フローを示すフローチャートである。
【図６】従来の浴室暖房装置の内部構成を示す模式図である。
【符号の説明】
【００３１】
１  浴室暖房ユニット
２  脱衣室暖房ユニット
３  外部熱源機
８  制御部
１１  浴室側熱交換器
１２  浴室側循環ファン
２３  脱衣室側熱交換器
２４  脱衣室側循環ファン
３１，３１’  温水循環配管
ＢＲ  浴室
ＤＲ  脱衣室（他室）
【図１】
2006258395.tif 000003
【図２】
2006258395.tif 000004
【図３】
2006258395.tif 000005
【図４】
2006258395.tif 000006
【図５】
2006258395.tif 000007
【図６】
2006258395.tif 000008